(57)【要約】      （修正有）【課題】様々なバリエーションの積み方やブロックの組合せができ、その中にボールを落として、ボールの落ち方や転がり方を楽しむことのできる透明型ボール落としブロックを提供する。【解決手段】透光性素材で形成され内部が透視し得る多面体形状のブロック１ａ、１ｂ、２ａ、２ｂであって、ブロックの上面及び下面には、少なくとも１つの貫通孔が設けられ、ブロック内部には、上面の貫通孔から下面の貫通孔へボールを誘導するボール誘導機構が設けられ、上面の貫通孔からボールが投入されると、ボールがボール誘導機構を経由して、下面に設けられた貫通孔からボールが排出される。上面の貫通孔と下面の貫通孔は、それぞれ同数であり、２つ以上である。ボール誘導機構は、透光性素材で形成されたチューブ又はプレートで形成されたことでもよいし、コイル状バネで形成された機構でもよい。【選択図】図１２
0003221300.tif 000002
【実用新案登録請求の範囲】
【請求項１】
透光性素材で形成され内部が透視し得る多面体形状のブロックであって、
前記ブロックの上面及び下面には、少なくとも１つの貫通孔が設けられ、
前記ブロック内部には、上面の貫通孔から下面の貫通孔へボールを誘導するボール誘導機構が設けられ、
上面の貫通孔からボールが投入されると、前記ボールが前記ボール誘導機構を経由して、下面に設けられた前記貫通孔からボールが排出され、
ることを特徴とする透明型ボール落としブロック。
【請求項２】
前記上面の貫通孔と下面の貫通孔は、それぞれ同数であり、２つ以上であることを特徴とする請求項１に記載の透明型ボール落としブロック。
【請求項３】
前記ボール誘導機構は、透光性素材で形成されたチューブ、又は、プレートで形成されたことを特徴とする請求項１又は２に記載の透明型ボール落としブロック。
【請求項４】
前記ボール誘導機構は、コイル状バネで形成された機構であることを特徴とする請求項１又は２に記載の透明型ボール落としブロック。
【請求項５】
前記ブロックは、立方体形状又は直方体形状であることを特徴とする請求項１〜４の何れかに記載の透明型ボール落としブロック。
【請求項６】
前記ブロックの上面もしくは前記上面の貫通孔の縁部に凸部又は凹部が設けられ、
前記ブロックの下面もしくは前記下面の貫通孔の縁部に凹部又は凸部が設けられ、
前記ブロックは、前記上面の凸部と前記下面の凹部、又は、前記上面の凹部と前記下面の凸部を嵌合させて上下に連結可能であることを特徴とする請求項１〜５の何れかに記載の透明型ボール落としブロック。
【請求項７】
透光性素材で形成され内部が透視し得る多面体のブロックの上面に、少なくとも１つの貫通孔が設けられ、前記ブロックの上面に、請求項１〜６の何れかの透明型ボール落としブロックの下面が取り付けられ、前記下面の貫通孔から排出されたボールを収容する透明型ボール収容ブロックと、
請求項１〜６の何れかの透明型ボール落としブロック、
を備えた透明型ボール落としブロックセット。
【考案の詳細な説明】
【技術分野】
【０００１】
本考案は、ブロック内部が透視でき、ブロック内部を通過するボールの動きを自由に設計でき、ボールの動きを確認できるブロック玩具に関するものである。
【背景技術】
【０００２】
従来から、一般に子供用の玩具として積木が多く利用されている。積木は木材等から成り、立方体、直方体又は円柱形状等の様々な形状の物体を積み重ねて楽しむものである。積木は手先を使うため手指の発達を促進し、また積み方を工夫することで創造力や集中力を高める効果もあるといわれている。
元々、玩具の多くは子供向けに製作されてきたが、玩具を楽しみたいというニーズは子供だけに存在するものではない。子供だけではなく大人も一緒に楽しむことのできる積木であれば、親子間でのコミュニケーションの活性化にも役立つといえる。
そして、子供も大人も飽きずに長く楽しめる玩具とするためには、予想できない積み方ができることが望ましいといえる。
【０００３】
そこで、上記のような比較的シンプルな形状の積木だけではなく、積木の中には、複雑な形状を有するものもある（例えば、特許文献１を参照。）。上記特許文献１に開示された積木は、立方体を対角線で切ってできる三角柱を積木の基本単位とし、これを２個以上組み合わせ複雑な形状としたものであり、これによれば、様々な積み方が可能である。
【０００４】
また、積木を単に積み上げるだけではなく、ボールを転がすことのできる積木が知られている（例えば、特許文献２を参照。）。上記特許文献２に開示された積木は、台形状の立方体の上部と下部に半円形の溝を設けてボールを転がすことを可能としたものであり、これによれば、積木を積み上げる楽しさだけではなく、ボールを転がす楽しさも得られることになる。
しかしながら、上記特許文献２に開示された積木では、積み上げられた形状やボールの転がりは楽しむことができるものの、それ以外の楽しみがなく、直ぐに飽きてしまうという問題がある。
【先行技術文献】
【特許文献】
【０００５】
【特許文献１】実開平７−２７６７６号公報
【特許文献２】特開２００４−２０９１９３号公報
【考案の概要】
【考案が解決しようとする課題】
【０００６】
上述の通り、従来の積木では、積み上げることの楽しさや、ボールを転がすといった楽しさは感じられたが、それ以外の楽しさが少なく、飽きてしまいやすいという問題があった。
本考案者は、鋭意検討の結果、積木やボールの形象だけではなく、それらの影を楽しむという要素を含めることで、玩具の魅力をより高めることができるという知見を得た。
すなわち、影は、物が小さくても光の当て方で大きくすることができ、影を映す場所が変わると、影が真っ直ぐになったり、ぐにゃぐにゃと曲がったりといった面白さがある。また、どんな複雑な形でも、平面の１つの塊になるという面白さもある。
上記状況に鑑みて、本考案は、様々なバリエーションの積み方やブロックの組合せができ、その中にボールを落として、ボールの落ち方や転がり方を楽しむだけではなく、組み合わされたブロックとボールに対して光を当てることにより影を楽しむことのできる玩具を提供することを目的とする。
【課題を解決するための手段】
【０００７】
上記目的を達成すべく、本考案の透明型ボール落としブロックは、透光性素材で形成され内部が透視し得る多面体形状のブロックであって、ブロックの上面及び下面には、少なくとも１つの貫通孔が設けられ、ブロック内部には、上面の貫通孔から下面の貫通孔へボールを誘導するボール誘導機構が設けられ、上面の貫通孔からボールが投入されると、ボールがボール誘導機構を経由して、下面に設けられた貫通孔からボールが排出される。
ブロックの素材として透光性素材が用いられることにより、ブロック内部が透視でき、ブロック内部を通過するボールの動きを確認できるだけではなく、ブロックやボールに対して光を当てることにより発生する影を楽しむことができる。透光性素材としては、アクリル、ポリカーボネート、ポリエチレンテレフタレート又はポリ塩化ビニルなどの樹脂製素材が好ましく、より好ましくはアクリル又はポリカーボネートである。また、上記以外の有機ガラスでもよいし、珪酸塩を主成分とするガラスでもよい。ブロックは透光性を有するものであればよく、ブロックの色は無色に限られず、例えば、赤色、青色、黄色、緑色又は橙色等に着色されたものでもよい。
【０００８】
ボール誘導機構が設けられることにより、ボールがブロック内部を単に通過するだけではなく、ボール誘導機構の仕様により様々なボールの動きやボール誘導機構の形象を楽しむことができる。
上面及び下面の貫通孔とボール誘導機構の関係については、上面に設けられた特定の貫通孔から、下面に設けられた特定の貫通孔へボールを誘導する構成でもよいし、上面の何れの貫通孔から、下面の何れの貫通孔へも誘導し得る構成でもよい。例えば、ボール誘導機構を、上面に設けられた特定の貫通孔から、下面に設けられた特定の貫通孔へボールを誘導するものとすれば、ボールの流れを予想してブロックを積み上げるといった楽しさを味わうことができる。
なお、投入されるボールの種類は特に限定されないが、硬質のボールであれば、ブロック内を通過する際にボール誘導機構に当たり、高音の音が発生しやすくなり、また、軟質のボールであれば低音の音が発生しやすくなり、視覚的だけではなく、聴覚的にも楽しむことが可能である。
【０００９】
本考案の透明型ボール落としブロックにおいて、上面の貫通孔と下面の貫通孔は、それぞれ同数であり、２つ以上であることが好ましい。
上面の貫通孔と下面の貫通孔がそれぞれ同数であり、２つ以上とされることにより、例えば、２人で別々の貫通孔にそれぞれボールを投入して、ボールの動きを楽しむことができる。
【００１０】
本考案の透明型ボール落としブロックにおいて、ボール誘導機構は、透光性素材で形成されたチューブ、又は、プレートで形成されたことでもよい。
例えば、チューブをブロック内に垂直に設ける構成とすれば、貫通孔に投入されたボールが速いスピードで落下する様子を楽しむことができる。
これに対して、チューブをブロック内に斜めに設ける構成とすれば、ブロック内をボールが転がる様子を楽しむことができる。また、垂直に設けた場合よりも、貫通孔に投入されたボールが遅いスピードで落下する様子を楽しむことができる。
【００１１】
プレートは、多面体形状を形成する少なくとも何れかの面に接続され、接続される向きや角度を工夫することで、多様なボールの転がり方を演出することができる。例えば、１つ以上の斜面プレートを設けてボールが坂道上を転がるような構成としてもよいし、２つ以上の斜面プレート上をボールが階段状に下るような構成としてもよい。また、プレートは、ブロックの面と接続する部位が低くなるように傾斜を設けて接続してもよい。傾斜を設けることにより、ボールがブロックを形成する面に当接して転がりやすくなり、ボールの誘導が容易となる。
【００１２】
また、水平のプレートに幅狭から幅広の部位を有する貫通孔を設けて、幅狭の部位に落下したボールを幅広の部位へと誘導する構成でもよい。ボールを幅狭の部位から幅広の部位へと誘導する構成では、例えば、直線的に誘導してもよいし、弧を描くように誘導してもよい。
チューブ又はプレートの素材としては、アクリル、ポリカーボネート、ポリエチレンテレフタレート又はポリ塩化ビニルなどの樹脂製素材が好ましく、より好ましくはアクリル又はポリカーボネートである。また、上記以外の有機ガラスでもよいし、珪酸塩を主成分とするガラスでもよい。また、ブロックの多面体形状を形成する素材と同じ素材で形成されることでもよい。
【００１３】
本考案の透明型ボール落としブロックにおいて、ボール誘導機構は、コイル状バネで形成された機構であることでもよい。
コイル状バネは、螺旋状又は渦巻状を呈するが、螺旋状であることが好ましい。コイル状バネが用いられることにより、複雑なボールの動きを演出することができる。
【００１４】
本考案の透明型ボール落としブロックにおいて、ブロックは、立方体形状又は直方体形状であることが好ましい。
ブロックが、立方体形状又は直方体形状とされることにより、積み上げが容易となる。また、ブロックは上下を反転させても利用可能な構成としてもよいが、ブロックが、立方体形状又は直方体形状であれば、上下を反転させた利用も容易である。
【００１５】
本考案の透明型ボール落としブロックは、ブロックの上面もしくは上面の貫通孔の縁部に凸部又は凹部が設けられ、ブロックの下面もしくは下面の貫通孔の縁部に凹部又は凸部が設けられ、ブロックは、上面の凸部と下面の凹部、又は、上面の凹部と下面の凸部を嵌合させて上下に連結可能であることが好ましい。
凸部又は凹部が設けられることにより、上下にブロックを積み上げた際に、ブロックが嵌合するため、積み上げたブロックが崩れ落ちることを防止できる。したがって、凸部又は凹部が設けられることにより、ブロックを高く積み上げることも容易となる。
これに対して、凸部又は凹部が設けられない構成とした場合には、積み上げた際の安定性は低下するが、低コストで作製できる。また、ブロックを上下に反転させても利用可能な構成とした場合には、凸部又は凹部が設けられない構成とすることで組み合わせパターンを増加させることもできる。
【００１６】
本考案の透明型ボール落としブロックセットは、透光性素材で形成され内部が透視し得る多面体のブロックの上面に、少なくとも１つの貫通孔が設けられ、ブロックの上面に、上記の何れかの透明型ボール落としブロックの下面が取り付けられ、下面の貫通孔から排出されたボールを収容する透明型ボール収容ブロックと、上記の何れかの透明型ボール落としブロックを備える。
透明型ボール収容ブロックにおいても、ブロックの素材として透光性素材が用いられることにより、ブロック内部が透視でき、ブロック内部を通過するボールの動きを確認できるだけではなく、ブロックやボールに対して光を当てることにより発生する影を楽しむことができる。透光性素材としては、アクリル、ポリカーボネート、ポリエチレンテレフタレート又はポリ塩化ビニルなどの樹脂製素材が好ましく、より好ましくはアクリル又はポリカーボネートである。また、上記以外の有機ガラスでもよいし、珪酸塩を主成分とするガラスでもよい。ブロックは透光性を有するものであればよく、ブロックの色は無色に限られず、例えば、赤色、青色、黄色、緑色又は橙色等に着色されたものでもよい。
透明型ボール落としブロックセットを構成する上記透明型ボール落としブロックの上面及び下面に凸部又は凹部が設けられる場合には、透明型ボール収容ブロックは、ブロックの上面もしくは上面の貫通孔の縁部に凸部又は凹部が設けられ、上記透明型ボール落としブロックの下に連結可能とされることが好ましい。
【考案の効果】
【００１７】
本考案によれば、様々なバリエーションの積み方やブロックの組合せができ、その中にボールを落として、ボールの落ち方や転がり方を楽しむだけではなく、組み合わされたブロックとボールに対して光を当てることにより影を楽しむことができるといった効果を有する。
【図面の簡単な説明】
【００１８】
【図１】実施例１の透明型ボール落としブロックの構造説明図
【図２】凸部及び凹部の説明図
【図３】実施例１の透明型ボール落としブロックの機能説明図
【図４】縦型筒状部材を用いた透明型ボール落としブロックの外観図
【図５】螺旋状部材を用いた透明型ボール落としブロックの外観図
【図６】実施例２の透明型ボール落としブロックの構造説明図
【図７】実施例２の透明型ボール落としブロックの機能説明図１
【図８】実施例２の透明型ボール落としブロックの機能説明図２
【図９】斜型筒状部材を用いた透明型ボール落としブロックの外観図
【図１０】プレート部材を用いた透明型ボール落としブロックの外観図
【図１１】実施例３の透明型ボール収容ブロックの外観図
【図１２】実施例４の透明型ボール落としブロックセットの組み合わせイメージ図１
【図１３】実施例４の透明型ボール落としブロックセットの組み合わせイメージ図２
【考案を実施するための最良の形態】
【００１９】
以下、本考案の実施形態について、図面を参照しながら詳細に説明していく。なお、本考案の範囲は、以下の実施例や図示例に限定されるものではなく、幾多の変更及び変形が可能である。
【実施例１】
【００２０】
図１は、実施例１の透明型ボール落としブロックの構造説明図であり、（１）は斜視図、（２）平面図を示している。図１（１）に示すように、透明型ボール落としブロックであるブロック１は、上面３、下面４及び側面（５ａ〜５ｄ）から成り、略立方体形状を呈している。ブロック１は、透光性を有するアクリル樹脂から成る。
上面３には、２つの貫通孔（６ａ，６ｂ）が設けられ、下面４にも２つの貫通孔（７ａ，７ｂ）が設けられている。
貫通孔（６ａ，６ｂ）が設けられる位置は、略正方形状の上面３の角部付近であり、それぞれ対角線上に設けられている。具体的には、貫通孔６ａは、上面３、側面５ａ及び側面５ｄにより形成される角部付近に設けられ、貫通孔６ｂは、上面３、側面５ｂ及び側面５ｃにより形成される角部付近に設けられている。
【００２１】
また、貫通孔（７ａ，７ｂ）が設けられる位置についても、略正方形状の下面４の角部付近であり、それぞれ対角線上の相対する位置に設けられている。具体的には、貫通孔７ａは、下面４、側面５ａ及び側面５ｄにより形成される角部付近に設けられ、貫通孔７ｂは、下面４、側面５ｂ及び側面５ｃにより形成される角部付近に設けられている。
したがって、図１（２）に示すように、ブロック１は、平面視上では貫通孔（７ａ，７ｂ）は貫通孔（６ａ，６ｂ）と重なり、貫通孔（６ａ，６ｂ）だけが視認できる状態となっており、貫通孔（７ａ，７ｂ）は貫通孔（６ａ，６ｂ）の直下に設けられていることが分かる。
【００２２】
図２は、凸部及び凹部の説明図を示している。図２に示すように、貫通孔（６ａ，６ｂ）には凸部が設けられ、貫通孔（７ａ，７ｂ）には凹部が設けられている。例えば、ブロック１の貫通孔（７ａ，７ｂ）に設けられた凹部に、もう１つのブロック１の貫通孔（６ａ，６ｂ）に設けられた凸部を嵌合することで、容易にブロック１同士を上下に積み上げることができ、また、積み上げた際に、上下の貫通孔の接続位置が左右にずれることを防止できる。
なお、図２以外においても、貫通孔（６ａ，６ｂ）には凸部が設けられ、貫通孔（７ａ〜７ｄ）には凹部が設けられているが、説明の都合上、図示していない。
【００２３】
図３は、実施例１の透明型ボール落としブロックの機能説明図であり、（１）は直下の貫通孔にボールが誘導される場合、（２）は対角線上の貫通孔にボールが誘導される場合を示している。
ブロック１は、ボール９を貫通孔（６ａ，６ｂ）に投入して遊ぶことができる。投入されたボール９は、ブロック１の内部空間を通過した後、貫通孔（７ａ，７ｂ）から排出される。貫通孔（６ａ，６ｂ）に投入されたボール９が、貫通孔（７ａ，７ｂ）の内、いずれの貫通孔から排出されるかは、ブロック１の内部構造に拠る。
例えば、図３（１）における矢印８ａに示すように、貫通孔６ａに投入されたボール９が、貫通孔７ａから排出され、矢印８ｂに示すように、貫通孔６ｂに投入されたボール９が、貫通孔７ｂから排出される構成とすることができる。
また、図３（２）における矢印８ｃに示すように、貫通孔６ａに投入されたボール９が、貫通孔７ｂから排出され、矢印８ｄに示すように、貫通孔６ｂに投入されたボール９が、貫通孔７ａから排出される構成とすることもできる。
ここでは、貫通孔６ａ又は貫通孔６ｂと、貫通孔７ａ又は貫通孔７ｂを直線的な矢印（８ａ〜８ｄ）で繋ぐように示しているが、実際の内部構造は、必ずしも直線的な機構に限られず、例えば、曲線を描くようにボールが移動するものや、階段状に移動するものであってもよい。
なお、本実施例では、上面３に設けられた特定の貫通孔から、下面４に設けられた特定の貫通孔へボールが誘導される構成のみを示している
以下では、ブロック１の内部空間の構成例を具体的に説明する。
【００２４】
図４は、縦型筒状部材を用いた透明型ボール落としブロックの外観図であり、（１）は斜視図、（２）は正面図を示している。図４（１）に示すように、ブロック１ａの内部には、縦型筒状部材（１１ａ，１１ｂ）が設けられている。縦型筒状部材（１１ａ，１１ｂ）は、ブロック１ａと同じく透光性を有するアクリル樹脂から成り、一体成形されている。
縦型筒状部材１１ａは、貫通孔６ａと貫通孔７ａを直線的に繋ぐように設けられ、縦型筒状部材１１ｂは、貫通孔６ｂと貫通孔７ｂを直線的に繋ぐように設けられている。
したがって、貫通孔（６ａ，６ｂ）に投入されたボール９は、速いスピードで縦型筒状部材（１１ａ，１１ｂ）内を落下し、貫通孔（７ａ，７ｂ）から迅速に排出されるため、スピード感のあるボール９の落下やその背後に浮かぶ影を視覚的に楽しむことができる。
【００２５】
図５は、螺旋状部材を用いた透明型ボール落としブロックの外観図であり、（１）は斜視図、（２）は正面図を示している。図５（１）に示すように、ブロック１ｂの内部には、螺旋状部材（１２ａ，１２ｂ）が設けられている。螺旋状部材（１２ａ，１２ｂ）は、金属製のワイヤを螺旋状に加工したものである。
螺旋状部材１２ａは、貫通孔６ａと貫通孔７ａを繋ぐように設けられ、螺旋状部材１２ｂは、貫通孔６ｂと貫通孔７ｂを繋ぐように設けられている。
しかしながら、螺旋状部材（１２ａ，１２ｂ）は、縦型筒状部材（１１ａ，１１ｂ）とは異なり、螺旋形状を呈していることから、貫通孔（６ａ，６ｂ）に投入されたボール９は、螺旋状に回転しながら、螺旋の内側をゆっくりとしたスピードで落下して、貫通孔（７ａ，７ｂ）から排出されるため、縦型筒状部材（１１ａ，１１ｂ）とは異なるボール９の動きやスピード感を、その背後に浮かぶ影と共に視覚的に楽しむことができる。
【実施例２】
【００２６】
図６は、実施例２の透明型ボール落としブロックの構造説明図であり、（１）は斜視図、（２）平面図を示している。図６（１）に示すように、透明型ボール落としブロックであるブロック２は、上面３、下面４及び側面（５ａ〜５ｄ）から成り、実施例１におけるブロック１と同様に、略立方体形状を呈している。ブロック２は、透光性を有するアクリル樹脂から成る。
上面３には、２つの貫通孔（６ａ，６ｂ）が設けられ、下面４にも２つの貫通孔（７ａ，７ｂ）が設けられている。
貫通孔（６ａ，６ｂ）が設けられる位置は、略正方形状の上面３の角部付近であり、それぞれ対角線上に設けられている。具体的には、貫通孔６ａは、上面３、側面５ａ及び側面５ｄにより形成される角部付近に設けられ、貫通孔６ｂは、上面３、側面５ｂ及び側面５ｃにより形成される角部付近に設けられている。
これに対して、貫通孔（７ｃ，７ｄ）が設けられる位置は、ブロック１における貫通孔（７ａ，７ｂ）とは異なる。すなわち、貫通孔（７ｃ，７ｄ）についても、略正方形状の下面４の角部付近であり、それぞれ対角線上の相対する位置に設けられているが、具体的には、貫通孔７ｃは、下面４、側面５ｃ及び側面５ｄにより形成される角部付近に設けられ、貫通孔７ｄは、下面４、側面５ａ及び側面５ｂにより形成される角部付近に設けられている。
したがって、図６（２）に示すように、ブロック２では、貫通孔（７ｃ，７ｄ）は、平面視上で貫通孔（６ａ，６ｂ）とは異なる角部付近の位置に設けられている。
【００２７】
図７は、実施例２の透明型ボール落としブロックの機能説明図であり、（１）と（２）は、それぞれ異なる貫通孔にボールが誘導される構成を示している。
ブロック２は、ボール９を貫通孔（６ａ，６ｂ）に投入して遊ぶことができる。投入されたボール９は、ブロック１の内部空間を通過した後、貫通孔（７ｃ，７ｄ）から排出される。貫通孔（６ａ，６ｂ）に投入されたボール９が、貫通孔（７ｃ，７ｄ）の内、いずれの貫通孔から排出されるかは、ブロック２の内部構造に拠る。
例えば、図７（１）における矢印８ｅに示すように、貫通孔６ａに投入されたボール９が、貫通孔７ｄから排出され、矢印８ｆに示すように、貫通孔６ｂに投入されたボール９が、貫通孔７ｃから排出される構成とすることができる。
また、図７（２）における矢印８ｇに示すように、貫通孔６ａに投入されたボール９が、貫通孔７ｃから排出され、矢印８ｈに示すように、貫通孔６ｂに投入されたボール９が、貫通孔７ｄから排出される構成とすることもできる。
ここでは、貫通孔６ａ又は貫通孔６ｂと、貫通孔７ｃ又は貫通孔７ｄを直線的な矢印（８ｅ〜８ｈ）で繋ぐように示しているが、実際の内部構造は、必ずしも直線的な機構に限られず、例えば、曲線を描くようにボールが移動するものや、階段状に移動するものであってもよい。
【００２８】
図８は、実施例２の透明型ボール落としブロックの機能説明図を示している。図８は、矢印８ｇに示すように、貫通孔６ａに投入されたボール９が、貫通孔７ｃから排出され、矢印８ｈに示すように、貫通孔６ｂに投入されたボール９が、貫通孔７ｄから排出される点では、図７（２）に示す例と同様である。
しかしながら、図７（２）においては、矢印８ｇと矢印８ｈは交差することがないのに対し、図８においては、矢印８ｇと矢印８ｈは捩れるように交差している。
実施例２においても実施例１と同様に、上面３に設けられた特定の貫通孔から、下面４に設けられた特定の貫通孔へボールが誘導される構成のみを示しているが、このように、ボールが誘導される機構を工夫することで、多様なボールの動きやその背後に浮かぶ影を楽しむことが可能となる。
以下では、ブロック２の内部空間の構成例を具体的に説明する。
【００２９】
図９は、斜型筒状部材を用いた透明型ボール落としブロックの外観図であり、（１）は斜視図、（２）は正面図を示している。図９（１）に示すように、ブロック２ａの内部には、斜型筒状部材（１３ａ，１３ｂ）が設けられている。斜型筒状部材（１３ａ，１３ｂ）は、ブロック２ａと同じく透光性を有するアクリル樹脂から成り、一体成形されている。
斜型筒状部材１３ａは、貫通孔６ａと貫通孔７ｄを直線的に繋ぐように設けられ、斜型筒状部材１３ｂは、貫通孔６ｂと貫通孔７ｃを直線的に繋ぐように設けられている。したがって、図９（２）に示すように、正面図においては、斜型筒状部材（１３ａ，１３ｂ）はＸ字状に交差するように設けられている。また、図示しないが、ブロック２ａを右側面又は左側面から見ると、図４（２）に示すブロック１ａと類似した外観を呈することとなる。但し、斜型であるため、図４（２）に示すブロック１ａの場合よりも、ボール９の落下に時間がかかることになる。
このように、ブロック２ａは、見る角度によって、様々なボール９の動きやその影を楽しむことができ、見る角度によってはブロック１ａの場合と類似するが、その場合でも構造の違いによりボールが異なる動きをするため、多様な楽しみ方が可能である。
【００３０】
図１０は、プレート部材を用いた透明型ボール落としブロックの外観図であり、（１）は平面図、（２）は正面図を示している。図１０（２）に示すように、ブロック２ｂの内部には、プレート部材（１４ａ〜１４ｆ）が設けられている。プレート部材（１４ａ〜１４ｆ）は、ブロック２ｂと同じく透光性を有するアクリル樹脂から成る。
図１０（１）に示すように、プレート部材１４ａは、側面５ａ及び側面５ｄに当接し、図１０（２）に示すように、左から右へと下るように傾斜が設けられている。また、図示していないが、プレート部材１４ａは、側面５ｃ側から
側面５ａ側へと下るように傾斜が設けられている。これは、ボール９が貫通孔６ａから投入されプレート部材１４ａ上に落とされた場合に、プレート部材１４ａ上から脱落することなくプレート部材１４ｂ上へボール９を誘導するために、設けられたものである。
【００３１】
プレート部材１４ｂは、側面５ａ及び側面５ｂに当接し、右から左へと下るように傾斜が設けられている。また、プレート部材１４ｃは、側面５ａ及び側面５ｄに当接し、左から右へと下るように傾斜が設けられている。プレート部材（１４ｂ，１４ｃ）において、側面５ｃ側から側面５ａ側へと下るように傾斜が設けられているのはプレート部材１４ａと同様である。
図１０（１）に示すように、プレート部材１４ｄは、側面５ｂ及び側面５ｃに当接し、図１０（２）に示すように、右から左へと下るように傾斜が設けられている。プレート部材１４ｅは、側面５ｃ及び側面５ｄに当接し、左から右へと下るように傾斜が設けられている。また、プレート部材１４ｆは、側面５ｂ及び側面５ｃに当接し、右から左へと下るように傾斜が設けられている。プレート部材（１４ｄ〜１４ｆ）においても、図示しないが、側面５ａ側から側面５ｃ側へと下るように傾斜が設けられている。
【００３２】
貫通孔６ａにボール９を投入すると、ボール９は、プレート部材１４ａ上を左から右に転がり、プレート部材１４ｂ上に落ちる。プレート部材１４ｂ上に落ちたボール９は、プレート部材１４ｂ上を右から左に転がりプレート部材１４ｃ上に落ちる。プレート部材１４ｃ上に落ちたボール９は、プレート部材１４ｃ上を左から右に転がり、貫通孔７ｄから排出される。
また、貫通孔６ｂにボール９を投入すると、ボール９は、プレート部材１４ｄ上を右から左に転がり、プレート部材１４ｅ上に落ちる。プレート部材１４ｅ上に落ちたボール９は、プレート部材１４ｅ上を左から右に転がりプレート部材１４ｆ上に落ちる。プレート部材１４ｆ上に落ちたボール９は、プレート部材１４ｆ上を右から左に転がり、貫通孔７ｃから排出される。
したがって、例えば、貫通孔（６ａ，６ｂ）に同時にボール９が投入された場合、ブロック２ｂを正面から見ると、２つのボール９がプレート部材（１４ａ〜１４ｆ）上を転がり、近づいて交差して離れるといった様子を３度に亘り見ることができる。
したがって、ブロック２ｂを用いることで、ボール９が、ゆっくりとしたスピードで複雑に転がり落下する様子を、背後に浮かぶ影と共に楽しむことができる。
なお、図１０（１）においては、例えば、プレート部材１４ａよりもプレート部材１４ｃの方が幅広とされているが、これは説明の都合上、プレート部材（１４ａ〜１４ｆ）の配置を分かりやすくしたためであり、実際には、プレート部材（１４ａ〜１４ｆ）の幅は略同一である。
【実施例３】
【００３３】
図１１は、実施例３の透明型ボール収容ブロックの外観図であり、（１）は構造説明図、（２）は機能説明図を示している。図１１（１）に示すように、ボール収容ブロック１５は、ブロック（１，２）と同様に透光性を有するアクリル樹脂で形成された略立方体形状を呈している。また、上面３に貫通孔（６ａ，６ｂ）が設けられている点も同様である。
しかしながら、ボール収容ブロック１５は、ブロック（１，２）とは異なり、上面３に貫通孔（６ａ，６ｂ）以外の貫通孔６ｃが複数設けられている。これは、ボール収容ブロック１５に光が当てられた際に、その背後に発生する影を特徴的なものとするために設けられたものである。
ボール収容ブロック１５では、貫通孔６ｃが異なる大きさで６つ設けられているが、５つ以下でも７つ以上でもよいし、設けられなくてもよい。また、大きさは同じでもよい。貫通孔６ｃは円形に限られず、例えば、三角形等の多角形状や、その他の幾何的形状でもよい。
【００３４】
ボール収容ブロック１５は、ブロック（１，２）とは異なり、下面４に貫通孔は設けられていない。したがって、ボール収容ブロック１５を最下位に配置し、ボール収容ブロック１５の上にブロック（１，２）を積み上げることで、ブロック（１，２）に投入したボール９の受け皿として利用することができる。具体的には、図１１（２）に示すように、ボール９は貫通孔（６ａ，６ｂ）から投入され、ボール収容ブロック１５の内部空間に溜まることとなる。ボール収容ブロック１５は、ブロック（１，２）とは異なり、内部にボールを誘導する機構を有しないため、多数のボール９を収容することが可能である。
なお、ボール収容ブロック１５上にブロック（１，２）を積み上げて利用する際には、ブロック（１，２）の貫通孔（７ａ〜７ｄ）は、ボール収容ブロック１５の貫通孔（６ａ，６ｂ）とは連通するが、貫通孔６ｃとは連通しないため、ボール９の誘導を妨げることはない構造である。
【実施例４】
【００３５】
図１２及び図１３は、実施例４の透明型ボール落としブロックセットの組み合わせイメージ図であり、図１２（１）はブロックを３つ積み上げた場合、図１２（２）はブロックを５つ積み上げた場合を示している。また、図１３は、６つのブロックを山型に積み上げた場合を示している。
図１２（１）に示すように、ブロックセット１０ａは、ボール収容ブロック１５ａ上に、ブロック１ｂ及びブロック２ｂが下から順に積み上げられている。また、図１２（２）に示すように、ブロックセット１０ｂは、ボール収容ブロック１５ｂ上に、ブロック２ｂ、ブロック１ｂ、ブロック２ａ及びブロック１ａが下から順に積み上げられている。このように、ブロックを積み上げる個数は自在に設定でき、最小ではボール収容ブロック１５上に、ブロック（１，２）を１つ積み上げることで、ボールを投入して楽しむことが可能である。ブロックを積み上げる最大数については、ブロックセットの安定性が保たれるものであれば、特に制限はない。
【００３６】
ブロックセット１０ａとブロックセット１０ｂでは、ブロック１ｂ及びブロック２ｂが用いられる点では共通しているが、ブロックセット１０ａではブロック１ｂの上にブロック２ｂが積まれ、ブロックセット１０ｂではブロック２ｂの上にブロック１ｂが積まれ、積まれる順番が異なっている。同じブロックを利用したとしても、積む順番を変えることにより、ブロックセットの形象や陰を異なるものとすることができる。また、それだけではなく、ブロック内を落下するボールのスピードや落下する際に発生する音も異なるものとなるため、視覚的にも聴覚的にも多様なバリエーションの楽しみ方が可能となる。
なお、ボール収容ブロック１５ａとボール収容ブロック１５ｂはいずれも透光性を有するアクリル樹脂から成るが、ボール収容ブロック１５ａが青色、ボール収容ブロック１５ｂが赤色であるという点で異なっている。
【００３７】
図１３に示すように、ブロックセット１０ｃは、ボール収容ブロック（１５ａ〜１５ｃ）上にブロック（１ｂ，２ａ，２ｂ）が積み上げられている。具体的には、ボール収容ブロック１５ａとボール収容ブロック１５ｂの上にブロック２ｂが積まれ、ボール収容ブロック１５ｂとボール収容ブロック１５ｃの上にブロック２ａが積まれている。また、ブロック２ｂとブロック２ａの上には、ブロック１ｂが積まれている。このように、ブロック（１，２）はボール収容ブロック１５の真上に積み上げなければならないわけではなく、下段に配置されるブロックの貫通孔（６ａ，６ｂ）と上段に配置されるブロックの貫通孔（７ａ〜７ｄ）が連通されるように配置されれば、図１３に示すように山型に積み上げることも可能である。
ボール収容ブロック（１５ａ〜１５ｃ）はいずれも透光性を有するアクリル樹脂から成るが、ボール収容ブロック１５ａは青色、ボール収容ブロック１５ｂは赤色、ボール収容ブロック１５ｃは黄色となっている。
このように、ブロックを多様な形状に積み上げることができ、しかもカラフルな構成とできるため、異なる角度から光（１６ａ〜１６ｄ）が当てることで、様々な影を楽しむことができる。
【００３８】
（その他の実施例）
（１）貫通孔（６ａ，６ｂ）における凸部や、貫通孔（７ａ〜７ｄ）における凹部は、設けられない構成でもよい。
（２）貫通孔（６ａ，６ｂ）に凹部が設けられ、貫通孔（７ａ〜７ｄ）に凸部が設けられる構成でもよい。
（３）貫通孔は、上面３及び下面４に、１つずつ設けられる構成でもよいし、３つ以上設けられる構成でもよい。」
【００３９】
（４）実施例１又は実施例２では、上面３に設けられた特定の貫通孔から、下面４に設けられた特定の貫通孔へボールが誘導される構成のみを示しているが、これとは異なり、上面３に設けられた何れの貫通孔からも、下面４に設けられた何れの貫通孔へもボールが誘導され得る構成としてもよい。また、上面３に設けられた特定の貫通孔から、下面４に設けられた特定の貫通孔へボールが誘導される構成と、上面３に設けられた特定の貫通孔から、下面４に設けられた何れの貫通孔へもボールが誘導され得る構成を併用する構成としてもよい。
【００４０】
（５）実施例３のボール収容ブロック１５に設けられた貫通孔６ｃを、ブロック（１，２）の上面３又は上面４の少なくとも何れかに設けてもよい。これにより、ブロック（１，２）に光が当てられた際に発生する影を特徴的なものとすることができる。
ブロック（１，２）に貫通孔６ｃが設けられたとしても、上下に積み上げられた際に貫通孔６ｃ同士が連通しなければ、ボール９の誘導を妨げることはないし、また、貫通孔６ｃ同士が連通していても、ブロック（１，２）に設けられたボール誘導機構が、貫通孔（６ａ，６ｂ）から貫通孔（７ａ〜７ｄ）へボール９を確実に誘導するものであれば、ボール９の誘導は妨げられないからである。
【産業上の利用可能性】
【００４１】
本考案は、子供だけではなく大人も楽しめる玩具やオブジェとして利用可能である。
【符号の説明】
【００４２】
１，１ａ，１ｂ，２，２ａ，２ｂ  ブロック
３  上面
４  下面
５ａ〜５ｄ  側面
６ａ〜６ｃ，７ａ〜７ｄ  貫通孔
８ａ〜８ｊ  矢印
９  ボール
１０ａ〜１０ｃ  ブロックセット
１１ａ，１１ｂ  縦型筒状部材
１２ａ，１２ｂ  螺旋状部材
１３ａ，１３ｂ  斜型筒状部材
１４ａ〜１４ｆ  プレート部材
１５，１５ａ〜１５ｃ  ボール収容ブロック
１６ａ〜１６ｄ  光
【図１】
0003221300.tif 000003
【図２】
0003221300.tif 000004
【図３】
0003221300.tif 000005
【図４】
0003221300.tif 000006
【図５】
0003221300.tif 000007
【図６】
0003221300.tif 000008
【図７】
0003221300.tif 000009
【図８】
0003221300.tif 000010
【図９】
0003221300.tif 000011
【図１０】
0003221300.tif 000012
【図１１】
0003221300.tif 000013
【図１２】
0003221300.tif 000014
【図１３】
0003221300.tif 000015